(57)【要約】      （修正有）【課題】簡単な構成で、発光色の切替の順序を示す発光パターンで発光する発光装置において、当該発光パターンに関わらずユーザの所望する推薦色で、発光させることができる発光装置を提供する。【解決手段】発光装置１００は、発光部１２０と、発光部を発光させる複数の色の発光順序を定める所定の順序を示す情報を記憶する記憶部１２４と、発光部を発光させる複数の色を、所定の順序で切り替える第１ボタン１１１と、複数の色の中から１つの色を推薦色として設定する設定部１２２と、推薦色で発光部を発光させるための入力を受け付ける第２ボタン１１２と、第１ボタンに対するユーザからの第１所定入力に応じて、所定の順序に従って、複数の色のうちいずれか１つの色で発光部を発光させ、第２ボタンに対するユーザからの第１所定入力に応じて所定の順序に関わらず推薦色で発光部を発光させる発光制御部１2１と、を備える。【選択図】図２
2020061379.tif 000002
【特許請求の範囲】
【請求項１】
発光部と、
前記発光部を発光させる複数の色の発光順序を定める所定の順序を示す情報を記憶する記憶部と、
前記発光部を発光させる複数の色を、所定の順序で切り替える第１ボタンと、
前記複数の色の中から１つの色を推薦色として設定する設定部と、
前記推薦色で前記発光部を発光させるための入力を受け付ける第２ボタンと、
前記第１ボタンに対するユーザからの第１所定入力に応じて、前記所定の順序に従って、前記複数の色のうちいずれか１つの色で前記発光部を発光させ、前記第２ボタンに対する前記ユーザからの第１所定入力に応じて前記所定の順序に関わらず前記推薦色で前記発光部を発光させる発光制御部と、を備える発光装置。
【請求項２】
前記発光部を発光させる複数の色を、前記所定の順序とは逆順に切り替える第３ボタンを備え、
前記発光制御部は、前記第２ボタンに対するユーザからの第１所定入力に応じて、前記所定の順序の逆順に従って、前記複数の色のうちいずれか１つの色で前記発光部を発光させる
ことを特徴とする請求項１に記載の発光装置。
【請求項３】
前記設定部は、さらに、前記複数の色の中からユーザの所望する発光順序を示す発光パターンを設定し、
前記記憶部は、さらに、前記発光パターンを示す情報を記憶し、
前記発光装置は、さらに、前記発光パターンと、前記所定の順序とのいずれかを選択する選択部を備え、
前記発光制御部は、前記選択部において選択されている発光パターンで示される発光順序または前記所定の順序のいずれかで示される順序に従い、前記第１ボタンに対するユーザからの入力又は前記第２ボタンに対するユーザからの第１所定入力に従って、前記複数の色の中のうちいずれか１つの色で前記発光部を発光させる
ことを特徴とする請求項１又は２に記載の発光装置。
【請求項４】
前記記憶部は、前記発光パターン及び前記所定の順序それぞれを示す発光色を示す情報記憶し、
前記選択部は、
前記発光部が発光していない場合であって、前記第３ボタン又は前記第１ボタン及び前記第３ボタン双方に対する第２所定入力があったときには、前記発光パターンで示される発光順序又は前記所定の順序で示される発光順序の中から発光順序の選択を開始し、
前記発光制御部は、前記発光順序の選択中において、前記発光パターンまたは前記所定の順序のいずれかを示す発光色を前記発光部に発光させるとともに、前記第１ボタンに対するユーザからの入力に従って、前記発光パターンまたは前記所定の順序のいずれかを示す発光色を切り替え、
前記選択部は、前記発光順序の選択中において、前記第１ボタン又は前記第３ボタンに対する前記ユーザからの前記第２所定入力があった場合に、その時に前記発光部が発光している発光色に対応する前記発光パターンまたは前記所定の順序を、発光制御の発光順序として選択する
ことを特徴とする請求項３に記載の発光装置。
【請求項５】
前記選択部は、前記発光順序の選択中において、前記第１ボタン及び前記第３ボタン双方に対する前記第２所定入力に従って、その時に前記発光部が発光している発光色に対応する発光パターンを前記記憶部から削除する
ことを特徴とする請求項４に記載の発光装置。
【請求項６】
前記設定部は、前記発光装置が発光していない場合であって、前記第３ボタン又は前記第１ボタン及び前記第３ボタン双方に対する第２所定入力があったときには、前記発光パターンの設定を開始し、
前記発光パターンの設定中に、前記設定部は、前記第１ボタンに対する前記ユーザからの第１所定入力に従って、前記発光部を発光させている発光色を前記発光パターンの１つの発光色として記憶し、
前記発光パターンの設定中に、前記発光制御部は、前記第３ボタンに対する前記ユーザからの第１所定入力に従って、前記発光部を発光させている発光色を切り替え、
前記発光パターンの設定中に、前記設定部は、前記第１ボタン又は前記第３ボタンに対する前記ユーザからの第２所定入力に従って、それまでに記憶した発光色を、記憶した順序を発光順序とした発光パターンを前記記憶部に記憶する
ことを特徴とする請求項５に記載の発光装置。
【請求項７】
前記発光装置は、棒状ライトである
ことを特徴とする請求項１〜６のいずれか１項に記載の発光装置。
【請求項８】
発光部と、前記発光部を発光させる複数の色の発光順序を定める所定の順序を示す情報を記憶する記憶部と、第１ボタンと、第２ボタンとを備える発光装置の発光制御方法であって、
前記複数の色の中から１つの色を推薦色として設定する設定ステップと、
前記第１ボタンに対するユーザからの第１所定入力に応じて、前記所定の順序に従って、前記複数の色のうちいずれか１つの色で前記発光部を発光させる第１発光制御ステップと、
前記第２ボタンに対するユーザからの第１所定入力に応じて、前記所定の順序に関わらず前記推薦色で前記発光部を発光させる第２発光制御ステップとを含む発光制御方法。
【発明の詳細な説明】
【技術分野】
【０００１】
本発明は、発光装置およびその発光制御方法に関するものである。
【背景技術】
【０００２】
近年、携帯型ライトであって、ライト本体の特定方向への振り動作による変位に応じて、特定方向への振り動作に関連付けられた発光色へ変更する携帯型ライトがある（特許文献１参照）。
【０００３】
一方で、棒状ライトであって、所定の順番で色選択ボタンを押下するごとに色表示ボタンに表示される色が変化し、色表示ボタンを押下すると、色表示ボタンに表示された色で光源部を発光させる棒状ライトもある（特許文献２参照）。
【先行技術文献】
【特許文献】
【０００４】
【特許文献１】特開２０１６−４６９０号公報
【特許文献２】特開２０１５−２０４２４６号公報
【発明の概要】
【発明が解決しようとする課題】
【０００５】
ところで、上記特許文献１の携帯型ライトの場合、特定の振り動作をしなければ、所望の色に変更できないとともに、その特定の振り動作と発光色の対応関係を記憶しておかないと所望の発光色に変更できないユーザにとって使い勝手が悪いという問題がある。
【０００６】
また、上記特許文献２に示す棒状ライトの場合、色表示ボタンに表示される所望の色になるまで、場合によっては複数回色選択ボタンを押下しないと、所望の色での発光ができないという問題があった。
【０００７】
そこで、本発明は上記問題に鑑みて成されたものであり、従来よりも簡単に所望の色で発光させることができる発光装置を提供することを目的とする。
【課題を解決するための手段】
【０００８】
上記課題を解決するために、本発明の一態様に係る発光装置は、発光部と、発光部を発光させる複数の色の発光順序を定める所定の順序を示す情報を記憶する記憶部と、発光部を発光させる複数の色を、所定の順序で切り替える第１ボタンと、複数の色の中から１つの色を推薦色として設定する設定部と、推薦色で発光部を発光させるための入力を受け付ける第２ボタンと、第１ボタンに対するユーザからの第１所定入力に応じて、所定の順序に従って、複数の色のうちいずれか１つの色で発光部を発光させ、第２ボタンに対するユーザからの第１所定入力に応じて所定の順序に関わらず推薦色で発光部を発光させる発光制御部と、を備える。
【０００９】
上記課題を解決するために、本発明の一態様に係る発光制御方法は、発光部と、発光部を発光させる複数の色の発光順序を定める所定の順序を示す情報を記憶する記憶部と、第１ボタンと、第２ボタンとを備える発光装置の発光制御方法であって、複数の色の中から１つの色を推薦色として設定する設定ステップと、第１ボタンに対するユーザからの第１所定入力に応じて、所定の順序に従って、複数の色のうちいずれか１つの色で発光部を発光させる第１発光制御ステップと、第２ボタンに対するユーザからの第１所定入力に応じて、所定の順序に関わらず推薦色で発光部を発光させる第２発光制御ステップとを含む。
【００１０】
上記装置において、発光部を発光させる複数の色を、所定の順序とは逆順に切り替える第３ボタンを備え、発光制御部は、第２ボタンに対するユーザからの第１所定入力に応じて、所定の順序の逆順に従って、複数の色のうちいずれか１つの色で発光部を発光させることとしてもよい。
【００１１】
上記装置において、設定部は、さらに、複数の色の中からユーザの所望する発光順序を示す発光パターンを設定し、記憶部は、さらに、発光パターンを示す情報を記憶し、発光装置は、さらに、発光パターンと、所定の順序とのいずれかを選択する選択部を備え、発光制御部は、選択部において選択されている発光パターンで示される発光順序または所定の順序のいずれかで示される順序に従い、第１ボタンに対するユーザからの入力又は第２ボタンに対するユーザからの第１所定入力に従って、複数の色の中のうちいずれか１つの色で発光部を発光させることとしてもよい。
【００１２】
上記装置において、記憶部は、発光パターン及び所定の順序それぞれを示す発光色を示す情報記憶し、選択部は、発光部が発光していない場合であって、第３ボタン又は第１ボタン及び第３ボタン双方に対する第２所定入力があったときには、発光パターンで示される発光順序又は所定の順序で示される発光順序の中から発光順序の選択を開始し、発光制御部は、発光順序の選択中において、発光パターンまたは所定の順序のいずれかを示す発光色を発光部に発光させるとともに、第１ボタンに対するユーザからの入力に従って、発光パターンまたは所定の順序のいずれかを示す発光色を切り替え、選択部は、発光順序の選択中において、第１ボタン又は第３ボタンに対するユーザからの第２所定入力があった場合に、その時に発光部が発光している発光色に対応する発光パターンまたは所定の順序を、発光制御の発光順序として選択することとしてもよい。
【００１３】
上記装置において、選択部は、発光順序の選択中において、第１ボタン及び第３ボタン双方に対する第２所定入力に従って、その時に発光部が発光している発光色に対応する発光パターンを記憶部から削除することとしてもよい。
【００１４】
上記装置において、設定部は、発光装置が発光していない場合であって、第３ボタン又は第１ボタン及び第３ボタン双方に対する第２所定入力があったときには、発光パターンの設定を開始し、発光パターンの設定中に、設定部は、第１ボタンに対するユーザからの第１所定入力に従って、発光部を発光させている発光色を発光パターンの１つの発光色として記憶し、発光パターンの設定中に、発光制御部は、第３ボタンに対するユーザからの第１所定入力に従って、発光部を発光させている発光色を切り替え、発光パターンの設定中に、設定部は、第１ボタン又は第３ボタンに対するユーザからの第２所定入力に従って、それまでに記憶した発光色を、記憶した順序を発光順序とした発光パターンを記憶部に記憶することとしてもよい。
【００１５】
上記装置において、発光装置は、棒状ライトであることとしてもよい。
【発明の効果】
【００１６】
本発明の一態様に係る発光装置は、特定のボタンに対して特定の色を設定することによって、ボタンの押下一つで所望の色の発光を行うことができる。
【図面の簡単な説明】
【００１７】
【図１】発光装置の外観を示す外観図である。
【図２】発光装置の機能構成例を示すブロック図である。
【図３】発光装置が保持する発光パターン情報のデータ構成例を示すデータ概念図である。
【図４】発光装置の動作例を示すフローチャートである。
【図５】発光装置の動作であって、発光制御に係る動作例を示すフローチャートである。
【図６】発光装置の動作であって、発光パターンの選択、設定処理に係る動作例を示すフローチャートである。
【発明を実施するための形態】
【００１８】
以下、本発明の一実施態様に係る発光装置について、図面を参照しながら詳細に説明する。
【００１９】
＜実施の形態＞
＜構成＞
図１は、発光装置１００の外観を示す外観図である。図１に示すように発光装置１００は一例として棒状ライトであるが、発光装置１００の形状は棒状に限るものではない。
【００２０】
発光装置１００は、図１に示すように、発光部１２０と、把持部１４０とが、接続部１３０を介して接続されて成る。
【００２１】
発光部１２０は、発光する機能を有する。発光部１２０は、発光部１２０自身が発光することしてもよいし、あるいは、接続部１３０部分に発光体を設け、そこから投射された光が、発光部１２０を透過して発光するという態様をとってもよい。発光部１２０は、例えば、筒状の透明なプラスチック内部に、光を透過かつ拡散する装飾シートを設け、接続部１３０部分に設けられた様々な色で発光する発光体からの光を拡散して、周囲に光を投光する構成であってもよい。発光体としては、発光ダイオードやＬＥＤなどである。また、あるいは、発光部１２０は、筒状の透明な樹脂内部にＬＥＤシートをその発光面を外部に向けて設けた構成により実現することとしてもよい。
【００２２】
接続部１３０は、発光部１２０と、把持部１４０とを接続する接続部材である。接続部１３０は、例えば、ねじ止め構造や、係止部材等により発光部１２０と把持部とを接続する構成であってもよい。発光部１２０と把持部１４０とを接続する手法としては、様々な従来の態様を用いてもよい。
【００２３】
把持部１４０は、ユーザが発光装置１００を把持する部材である。把持部１４０は、ユーザが発光装置１００を把持可能に構成されていればどのような形態をとってもよい。把持部１４０は、接続部１３０とは、一体に成型されることとしてもよい。
【００２４】
把持部１４０は、第１ボタン１１１と、第２ボタン１１２と、第３ボタン１１３とを備える。第１ボタン１１１、第２ボタン１１２、第３ボタン１１３とは、例えば、プラスチックなどの樹脂により構成され、押下可能に構成されている。図１には図示していないが、第１ボタン１１１、第２ボタン１１２、第３ボタン１１３各々は、それぞれ、発光装置１００の発光や発光のための制御に係る操作を受け付けるものである。ここでは、各ボタンは、押下型のボタンであるとしているが、これはその限りではなく、各ボタンは、ユーザからの入力を受け付ける機能を有するものであればよい。例えば、各ボタンは、タッチセンサにより実現されてもよい。
【００２５】
把持部１４０は、発光装置１００を動作させるための電源（図示せず）を内部に有する。把持部１４０は、当該電源を取り外し可能に構成され、電源カバー１５０を外すことによって、電源の出し入れを実現できる。電源カバー１５０は、把持部１４０に対して取り付け自在に構成される。電源カバー１５０の把持部１４０への取り付け方は、どのような取り付け方であってもよく、例えば、把持部１４０に対してねじ止めにより取り付けられてもよいし、あるいは、例えば、鉤爪型の部材により係合してもよい。
【００２６】
図２は、発光装置１００の構成例を示すブロック図である。図２に示すように、発光装置１００は、第１ボタン１１１と、第２ボタン１１２と、第３ボタン１１３と、発光部１２０と、発光制御部１２１と、設定部１２２と、選択部１２３と、記憶部１２４とを備える。
【００２７】
第１ボタン１１１は、ユーザが押下可能なボタンである。第１ボタン１１１は、短押し（所定時間以上継続しない押下）と、長押し（所定時間以上継続した押下）の双方を検出可能なボタンである。
【００２８】
第２ボタン１１２は、ユーザが押下可能なボタンである。第２ボタン１１２は、短押し（所定時間以上継続しない押下）と、長押し（所定時間以上継続した押下）の双方を検出可能なボタンである。
【００２９】
第３ボタン１１３は、ユーザが押下可能なボタンである。第３ボタン１１３は、短押し（所定時間以上継続しない押下）と、長押し（所定時間以上継続した押下）の双方を検出可能なボタンである。
【００３０】
発光部１２０は、複数の色の中から指定された色で発光する。発光部１２０は、例えば、発光ダイオードやＬＥＤにより実現される。発光部１２０は、発光制御部１２１からの指示に従って、発光する。
【００３１】
発光制御部１２１は、発光部１２０の発光制御を行う機能を有する。発光制御部１２１は、発光部１２０が発光しているとき、発光していないとき、発光パターンの設定中、発光パターンの選択中など様々な状況において、第１ボタン１１１に対する短押し、長押し、第２ボタン１１２に対する短押し、長押し、第３ボタン１１３に対する短押し、長押しの押下内容に応じた発光部１２０の発光処理を行う機能を有する。発光制御部１２１は、発光部１２０を発光させている場合に、選択されている発光パターンに関わらず、第２ボタン１１２の押下を検出して、設定部１２２により記憶部１２４に設定された推薦色で発光部１２０を発光させる。発光制御部１２１による発光処理の詳細については、図４〜図６に示すフローチャートを参照して後述する。
【００３２】
設定部１２２は、発光パターンの設定を行う機能を有する。第１ボタン１１１又は第１ボタン１１１と第３ボタン１１３双方の長押しを検出したことを契機として、発光パターンの設定処理を実行する。設定部１２２による発光パターンの設定処理の詳細については、図６に示すフローチャートを参照して後述する。
【００３３】
また、設定部１２２は、発光部１２０の発光中に発光パターンの順序に関わらずユーザの所望する色で発光させるための推薦色を設定する機能を有する。設定部１２２は、発光部１２０が発光しているときに、ユーザからの第２ボタン１１２の長押しを検出した場合には、そのとき発光部１２０が発光している発光色を推薦色として、記憶部１２４に記憶する。
【００３４】
選択部１２３は、記憶部１２４に記憶されている発光パターンのうち、用いる発光パターンを選択する機能を有する。選択部１２３は、第１ボタン１１１又は第１ボタン１１１と第３ボタン１１３双方の長押しを検出したことを契機として、発光パターンの選択処理を実行する。選択部１２３による発光パターンの選択処理の詳細については、図６に示すフローチャートを参照して後述する。
【００３５】
発光制御部１２１、設定部１２２、選択部１２３各々は、プロセッサにより実現され、当該プロセッサが記憶部１２４に記憶されているプログラムを実行することにより、上述の発光制御、設定処理、選択処理を実現する。なお、発光制御部１２１、設定部１２２、選択部１２３は、１つのプロセッサにより実現されてもよいし、複数のプロセッサにより実現されてもよい。
【００３６】
記憶部１２４は、発光装置１００が動作上必要とする各種プログラムやデータを記憶する機能を有する記憶媒体である。記憶部１２４は、例えば、ＨＤＤ、ＳＳＤ、フラッシュメモリ、ＲＡＭ、ＲＯＭ等により実現される。記憶部１２４は、発光制御に係る発光制御プログラム、発光パターンの設定に係る設定プログラム、発光パターンの選択に係る選択プログラムなどのプログラムや、設定した発光パターンを示す発光パターン情報３００、推薦色として設定した発光色を記憶している。
以上が発光装置１００の構成である。
【００３７】
＜データ＞
図３は、発光装置１００の記憶部１２４に記憶されている発光パターン情報３００のデータ構成例を示すデータ概念図である。
【００３８】
図３に示すように、発光パターン情報３００は、パターン名称３０１と、発光順序３０２とが対応付けられた情報である。発光パターン情報３００は、発光装置１００の発光部１２０に発光する発光色を規定する情報である。
【００３９】
パターン名称３０１は、発光パターンを発光装置１００が一意に特定可能な識別情報である。ここでは、パターン名称３０１は、わかりやすくするために名称で示しているが、パターン名称３０１は、他の発光パターンと区別できればよく、数字や記号などであらわされてもよい。
【００４０】
発光順序３０２は、発光部１２０を発光させる発光色の順番を示す情報である。発光順序３０２は、発光の順番を示す番号と、その番号に対応付けられる色を示しており、例えば、発光パターンの一つであるデフォルトパターンの場合には、「赤、紺、白、橙、緑、紫、桃、…」という順序を順方向として、発光装置１００を発光することを示している。発光装置１００は、順方向で発光する場合には、デフォルトパターンの場合であれば、上述の順番で発光し、逆順で発光する場合には、デフォルトパターンに桃以降の色が設定されていないとして、「赤、桃、紫、緑、橙、白、紺、赤、…」というように発光する。また、発光順序として番号に対して色が設定されないこともあり、その場合、図３の例では、「−」で示している。この発光順序は、先頭色の色である１番の色と、発光順序の最後の色はループしている。即ち、図８に示すように、発光パターンの一つであるメモリーパターン１の場合であれば、発光部１２０が発光しているときに第１ボタン１１１を短押しするごとに、「白、緑、青、白、緑、青、白、…」というように発光色が変更される。
【００４１】
識別色３０３は、発光パターンを選択する際に、ユーザが現在どの発光パターンを選択しようとしているのかを認識させるために、各発光パターンに固有に対応付けられた発光色を示す情報である。即ち、発光パターンを選択する際に、例えば、赤色が発光している場合には、メモリーターン１が選択状態にあることを示す。
【００４２】
＜動作＞
ここから、発光装置１００の動作を説明する。図４は、発光装置１００の動作例を示すメインフローチャートである。図４に示すフローチャートは、発光装置１００が発光していない状態から開始する処理である。
【００４３】
発光装置１００は、第１ボタン１１１、第２ボタン１１２、第３ボタン１１３の少なくとも１つに対する入力があるか否かを、いずれかのボタンがユーザにより押下されたか否かに応じて判定する（ステップＳ４０１）。入力があった場合には（ステップＳ４０１のＹＥＳ）、ステップＳ４０２に移行し、入力がない場合には（ステップＳ４０１のＮＯ）、入力があるまで待機する。
【００４４】
入力が、第１ボタン１１１の長押しであった場合には（ステップＳ４０２のＹＥＳ）、発光制御部１２１は、ステップＳ４０３に示す発光制御処理を開始する。発光制御処理の詳細については、後述する。発光制御部１２１が発光制御処理を終了すると、ステップＳ４０１に戻る。
【００４５】
入力が、第１ボタン１１１に対する長押しではなく（ステップＳ４０２のＮＯ）、第１ボタン１１１と第３ボタン１１３双方の長押しであった場合には（ステップＳ４０４のＹＥＳ）には、設定部１２２又は選択部１２３は、ステップＳ４０６に示す発光パターンの設定／選択処理を開始する。発光パターンの設定／選択処理の詳細については、後述する。発光パターンの設定／選択処理を終了すると、ステップＳ４０１に戻る。
【００４６】
入力が、第１ボタン１１１と第３ボタン１１３との双方の長押しでなくとも（ステップＳ４０４のＮＯ）、第３ボタン１１３に対する長押しであった場合には（ステップＳ４０５のＹＥＳ）にも、設定部１２２又は選択部１２３による、発光パターンの設定／選択処理を開始する。
【００４７】
それ以外の場合には（ステップＳ４０５のＮＯ）には、何らかの操作を行うための入力ではないので、ステップＳ４０１に戻る。
【００４８】
以上が、発光装置１００の動作のメインフローチャートの説明である。
【００４９】
ここから、メインフローチャートに含まれる発光制御処理について説明する。
【００５０】
図５は、図４のメインフローチャート中のステップＳ４０３で示される発光制御処理の詳細を示すサブフローチャートである。
【００５１】
発光装置１００の第１ボタン１１１が長押しされたことを受けて、図５に示すように、発光制御部１２１は、記憶部１２４に記憶されている選択中の発光パターンに関する情報から、選択されている発光パターンを特定する。そして、発光制御部１２１は、特定した発光パターンの先頭色（発光順序の１番目の発光色）で発光部１２０を発光させる（ステップS５０１）。
【００５２】
設定部１２２は、第２ボタン１１２が長押しされたか否かを、第２ボタン１１２が所定時間（例えば、３秒）以上押下されていたか否かに基づいて判定する（ステップＳ５０２）。第２ボタン１１２が長押しされていた場合には（ステップＳ５０２のＹＥＳ）、設定部１２２は、その時に発光部１２０が発光している発光色を、推薦色として記憶部１２４に設定して（ステップＳ５０３）、ステップＳ５０２に戻る。
【００５３】
第２ボタン１１２が長押しされていなかった場合には（ステップＳ５０２のＮＯ）、発光制御部１２１は、第１ボタン１１１が短押しされているか否かを、第１ボタン１１１が押下され、その押下時間が所定時間以上になっていないことに基づいて判定する（ステップＳ５０４）。第１ボタン１１１が短押しされていた場合には（ステップＳ５０４のＹＥＳ）、発光制御部１２１は、発光部１２０を発光させている発光色を、選択状態にある発光パターンの発光順序で示される次の色の発光色に切り替えて（ステップＳ５０５）、ステップＳ５０２に戻る。
【００５４】
第１ボタン１１１の短押しがなかった場合には（ステップＳ５０４のＮＯ）、発光制御部１２１は、第３ボタン１１３が短押しされているか否かを判定する（ステップＳ５０６）。第３ボタン１１３が短押しされていた場合には（ステップＳ５０６のＹＥＳ）、発光制御部１２１は、発光部１２０を発光させている発光色を、選択状態にある発光パターンの発光順序の逆順での次の色（順方向で１つ前の色）の発光色に切り替えて（ステップＳ５０７）、ステップＳ５０２に戻る。
【００５５】
第３ボタン１１３の短押しがなかった場合には（ステップＳ５０６のＮＯ）、発光制御部１２１は、第２ボタン１１２が短押しされているか否かを判定する（ステップＳ５０８）。第２ボタン１１２が短押しされていた場合には（ステップＳ５０８のＹＥＳ）、記憶部１２４において、推薦色として設定されている発光色で発光部１２０を発光させ、ステップＳ５０２に戻る。
【００５６】
第２ボタン１１２の短押しがなかった場合には（ステップＳ５０８のＮＯ）、発光制御部１２１は、第１ボタン１１１が長押しされているか否かを判定する（ステップＳ５１０）。第１ボタン１１１が長押しされていなかった場合には（ステップＳ５１０のＮＯ）、ステップＳ５０２に戻り、第１ボタン１１１が長押しされていた場合には（ステップＳ５１０のＹＥＳ）、発光制御部１２１は、発光部１２０による発光を停止させて（ステップＳ５１１）、発光制御処理を終了する。
【００５７】
以上が、発光装置１００の発光制御に係る処理である。
【００５８】
最後に、発光パターンの設定、選択処理についての動作を説明する。図６は、図４のメインフローチャート中のステップＳ４０６における発光パターン設定／選択処理の詳細を示すサブフローチャートである。
【００５９】
発光パターンの設定／選択処理を開始すると、発光制御部１２１は、押下されたボタンの内容（第３ボタン１１３の長押し（図４、ステップＳ４０４参照）、第１ボタン１１１と第３ボタン１１３双方の長押し（図４、ステップＳ４０５参照））に応じて、それぞれに対応付けられた発光色で発光部１２０を点滅させる（ステップＳ６０１）。
【００６０】
選択部１２３は、第２ボタン１１２の短押しがあったか否かを判定する（ステップＳ６０２）。
【００６１】
第２ボタン１１２の短押しがあった場合には（ステップＳ６０２のＹＥＳ）、選択部１２３は、選択状態にある発光パターンを別の発光パターンに変更する。当該変更に応じて、発光制御部１２１は、変更後の発光パターンに対応する発光色で発光部１２０を発光させる。
【００６２】
選択部１２３は、第１ボタン１１１又は第３ボタン１１３のいずれかの長押しがあったか否かを判定する（ステップＳ６０４）。
【００６３】
第１ボタン１１１又は第３ボタン１１３のいずれかの長押しがあった場合には（ステップＳ６０４のＹＥＳ）、その時に発光部１２０が発光している発光色に対応する発光パターンを選択した発光パターン（使用する発光パターン）として、記憶部１２４に登録して（ステップＳ６０５）、処理を終了する。
【００６４】
第１ボタン１１１又は第３ボタン１１３のいずれかの長押しがなかった場合には（ステップＳ６０４のＮＯ）、設定部１２２は、第１ボタン１１１と第３ボタン１１３双方の長押しがあったか否かを判定する（ステップＳ６０６）。第１ボタン１１１と第３ボタン１１３双方の長押しがなかった場合には（ステップＳ６０６のＮＯ）、ステップＳ６０２に戻り、第１ボタン１１１と、第３ボタン１１３双方の長押しがあった場合には（ステップＳ６０６のＹＥＳ）、そのとき発光部１２０が発光している発光色に対応する発光パターンの発光順序の情報を、記憶部１２４の発光パターン情報３００から削除して（ステップＳ６０７）、終了する。
【００６５】
ステップＳ６０２において、第２ボタンの短押しがなかった場合に（ステップＳ６０２のＮＯ）、第１ボタンの短押し、第３ボタンの短押し、第３ボタンの長押しのいずれかの入力に基づいて、発光パターンの設定を開始する。
【００６６】
まず、発光制御部１２１は、第３ボタン１１３の短押しがあったか否かを判定する（ステップＳ６０８）。第３ボタン１１３の短押しがあった場合には（ステップＳ６０８のＹＥＳ）、発光制御部１２１は、発光部１２０に発光させている発光色を発光パターン情報３００のデフォルトパターンで示される発光順序の順に従って、発光色を切り替えて（ステップＳ６０９）、ステップＳ６０８に戻る。
【００６７】
第３ボタン１１３の短押しがなかった場合には（ステップＳ６０８）、設定部１２２は、第１ボタン１１１の短押しがあったか否かを判定する（ステップＳ６１０）。第１ボタン１１１の短押しがあった場合には（ステップＳ６１０のＹＥＳ）、設定部１２２は、発光部１２０が発光している発光色を発光パターンの次の発光色として記憶部１２４に記憶し（ステップＳ６１１）、ステップ６０８に戻る。
【００６８】
第１ボタン１１１の短押しがなかった場合には（ステップＳ６１０のＮＯ）、設定部１２２は、第３ボタン１１３の長押しがあったか否かを判定する（ステップＳ６１２）。
【００６９】
第３ボタン１１３の長押しがあった場合には（ステップＳ６１２）、その時点で、これまでにステップＳ６１１を経由した際に登録した発光色を、その登録した順序と同じ順番を発光順序とした発光パターンを、発光パターン情報３００に新たに登録して（ステップＳ６１３）、終了する。第３ボタン１１３の長押しがなかった場合には（ステップＳ６１２のＮＯ）、ステップＳ６０８に戻る。
【００７０】
＜まとめ＞
発光装置１００によれば、発光部１２０が所望の色で発光しているときに、第２ボタン１１２を長押しするだけで、推薦色として登録することができ、以降においては、使用している発光パターンの発光順序に関わりなく、第２ボタン１１２を短押しするだけで、いつでもユーザの望むタイミングで、推薦色で発光部１２０を発光させることができる。また、所望の色で発光しているときに第２ボタン１１２を長押しするだけで、新たに推薦色の登録しなおしも容易に行うことができる。さらには、発光装置１００は、ユーザの所望の順序で発光する発光パターンを設定し、その発光パターンで発光色を切り替えて発光させたり、複数の発光パターンを登録して、その中から使用するものを自由に選択できたりするなどの多くの機能を、少ない入力数（ボタン数）で実現することができる。
【００７１】
＜補足＞
上記実施の形態に係る装置は、上記実施の形態に限定されるものではなく、他の手法により実現されてもよいことは言うまでもない。以下、各種変形例について説明する。
【００７２】
（１）上記実施の形態においては、特に示さなかったが、発光装置１００の発光制御部１２１は、発光部１２０を発光させる際に、常時発光、グラデーション発光、明滅発光等、様々な態様で発光させることとしてもよい。この場合、発光装置１００は、３つのボタンの押下の組み合わせなどにより、その発光態様を変更できる構成をとってもよい。
【００７３】
（２）上記実施の形態においては、特に示していないが、推薦色で発光しているときに、第１ボタン１１１又は第３ボタン１１３の押下があった場合には、発光制御部１２１は、推薦色の前の色の発光に戻る構成を備えてもよい。
【００７４】
（３）上記実施の形態において、各ボタン（第１ボタン１１１、第２ボタン１１２、第３ボタン１１３）に対する入力として短押しと、長押しとの２種類を提示しているが、これは、これに限定されるものではない。例えば、所定時間以内に２回押下することを検出し、その２回の押下をトリガとして、上述した何れかの処理のトリガとしてもよい。また、上記実施の形態に示した、短押しと長押しとを入れ替えても同様に動作させることができる。即ち、上述した第１所定入力を短押し、第２所定入力を長押しとしてもよいし、第１所定入力を長押し、第２所定入力を短押しとしてもよい。
【００７５】
（４）上記実施の形態においては、推薦色として一色のみを設定する例を説明したが、推薦色は一色に設定する例を説明したが、これはその限りではない。推薦色は何色設定することとしてもよい。
【００７６】
当該構成を実現するために発光装置１００は、２つ目、３つ目の第２ボタン１１２を備える構成としてもよい。そして、２つ目の第２ボタン１１２を長押しして２色目の推薦色を設定し、３つ目の第２ボタン１１２を長押しして３色目の推薦色を設定する。各第２ボタン１１２の押下されたボタンの短押しに応じて、対応付けられた推薦色を発光部１２０が発光する構成としてもよい。
【００７７】
あるいは、第２ボタン１１２と、第１ボタン１１１とを同時に長押しして、２色目の推薦色を設定し、第２ボタン１１２と、第３ボタン１１３とを同時に長尾押しして、３色目の推薦色を設定することとしてもよい。そして、第１ボタン１１１と第２ボタン１１２とを同時に短押しすることで、２色目の推薦色で発光部１２０を発光させ、第２ボタン１１２と第３ボタン１１３とを同時に短押しすることで、３色目の推薦色で発光部１２０を発光させる構成としてもよい。
【００７８】
（５）上記実施の形態においては、発光装置における推薦色を設定する手法として、装置のプロセッサが発光制御プログラム等を実行することにより、設定することとしているが、これは装置に集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。
【００７９】
また、上記発光制御プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記発光制御プログラムは、当該発光制御プログラムを伝送可能な任意の伝送媒体（通信ネットワークや放送波等）を介して上記プロセッサに供給されてもよい。本発明は、上記発光制御プログラムが電子的な伝送によって具現化された、搬送波に埋め込まれたデータ信号の形態でも実現され得る。
【００８０】
なお、上記発光制御プログラムは、例えば、Action Script、JavaScript（登録商標）などのスクリプト言語、Objective-C、Java（登録商標）などのオブジェクト指向プログラミング言語、HTML5などのマークアップ言語などを用いて実装できる。
【００８１】
（６）上記実施の形態に示した構成や、各補足に示した構成は、適宜組み合わせて実現することとしてもよい。
【符号の説明】
【００８２】
１００  発光装置
１１１  第１ボタン
１１２  第２ボタン
１１３  第３ボタン
１２０  発光部
１２１  発光制御部
１２２  設定部
１２３  選択部
１２４  記憶部
１３０  接続部
１４０  把持部
１５０  電源カバー
【図１】
2020061379.tif 000003
【図２】
2020061379.tif 000004
【図３】
2020061379.tif 000005
【図４】
2020061379.tif 000006
【図５】
2020061379.tif 000007
【図６】
2020061379.tif 000008
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
発光部と、
前記発光部を発光させる複数の色のデフォルトの発光順序を定めるデフォルトパターンを記憶する記憶部と、
前記複数の色の中から１つの色を、前記デフォルトパターンで示される順序に関わりなく、ユーザの所望する色で発光させる色である推薦色として設定する設定部と、
前記発光部を発光させる複数の色を、前記デフォルトパターンで示される順序で切り替える第１ボタンと、
前記推薦色で前記発光部を発光させるための入力を受け付ける第２ボタンと、
前記発光部を発光させる複数の色を、前記デフォルトパターンで示される順序とは逆順に切り替える第３ボタンを備え、
前記第１ボタンに対するユーザからの第１所定入力に応じて、前記デフォルトパターンで示される順序に従って、前記複数の色のうちいずれか１つの色で前記発光部を発光させ、
前記第２ボタンに対する前記ユーザからの第１所定入力に応じて、前記デフォルトパターンで示される順序に関わらず前記推薦色で前記発光部を発光させ、
前記第３ボタンに対するユーザからの第１所定入力に応じて、前記デフォルトパターンで示される順序の逆順に従って、前記複数の色のうちいずれか１つの色で前記発光部を発光させる発光制御部と、を備える発光装置。
【請求項２】
前記設定部は、さらに、前記複数の色の中からユーザの所望する発光順序を示す発光パターンを設定し、
前記記憶部は、さらに、前記発光パターンを示す情報を記憶し、
前記発光装置は、さらに、前記発光パターンで示される順序と、前記デフォルトパターンで示される順序とのいずれかを選択する選択部を備え、
前記発光制御部は、前記選択部において選択されている発光パターンで示される順序または前記デフォルトパターンで示される順序に従い、前記第１ボタンに対するユーザからの入力又は前記第２ボタンに対するユーザからの第１所定入力に従って、前記複数の色の中のうちいずれか１つの色で前記発光部を発光させる
ことを特徴とする請求項１に記載の発光装置。
【請求項３】
前記記憶部は、前記発光パターン及び前記デフォルトパターンそれぞれを示す発光色を示す情報を記憶し、
前記選択部は、
前記発光部が発光していない場合であって、前記第３ボタン又は前記第１ボタン及び前記第３ボタン双方に対する第２所定入力があったときには、前記発光パターンで示される発光順序又は前記デフォルトパターンで示される発光順序の中から発光順序の選択を開始し、
前記発光制御部は、前記発光順序の選択中において、前記発光パターンまたは前記デフォルトパターンのいずれかを示す発光色を前記発光部に発光させるとともに、前記第１ボタンに対するユーザからの入力に従って、前記発光パターンまたは前記デフォルトパターンのいずれかを示す発光色を切り替え、
前記選択部は、前記発光順序の選択中において、前記第１ボタン又は前記第３ボタンに対する前記ユーザからの前記第２所定入力があった場合に、その時に前記発光部が発光している発光色に対応する前記発光パターンまたは前記デフォルトパターンを、発光制御の発光順序として選択する
ことを特徴とする請求項２に記載の発光装置。
【請求項４】
前記選択部は、前記発光順序の選択中において、前記第１ボタン及び前記第３ボタン双方に対する前記第２所定入力に従って、その時に前記発光部が発光している発光色に対応する発光パターンを前記記憶部から削除する
ことを特徴とする請求項３に記載の発光装置。
【請求項５】
前記設定部は、前記発光装置が発光していない場合であって、前記第３ボタン又は前記第１ボタン及び前記第３ボタン双方に対する第２所定入力があったときには、前記発光パターンの設定を開始し、
前記発光パターンの設定中に、前記設定部は、前記第１ボタンに対する前記ユーザからの第１所定入力に従って、前記発光部を発光させている発光色を前記発光パターンの１つの発光色として記憶し、
前記発光パターンの設定中に、前記発光制御部は、前記第３ボタンに対する前記ユーザからの第１所定入力に従って、前記発光部を発光させている発光色を切り替え、
前記発光パターンの設定中に、前記設定部は、前記第１ボタン又は前記第３ボタンに対する前記ユーザからの第２所定入力に従って、それまでに記憶した発光色を、記憶した順序を発光順序とした発光パターンを前記記憶部に記憶する
ことを特徴とする請求項４に記載の発光装置。
【請求項６】
前記発光装置は、棒状ライトである
ことを特徴とする請求項１〜５のいずれか１項に記載の発光装置。
【請求項７】
発光部と、前記発光部を発光させる複数の色のデフォルトの発光順序を定めるデフォルトパターンを記憶する記憶部と、第１ボタンと、第２ボタンと、第３ボタンと、を備える発光装置の発光制御方法であって、
前記複数の色の中から１つの色を、前記デフォルトパターンで示される順序に関わりなく、ユーザの所望する色で発光させる色である推薦色として設定する設定ステップと、
前記第１ボタンに対するユーザからの第１所定入力に応じて、前記デフォルトパターンで示される順序に従って、前記複数の色のうちいずれか１つの色で前記発光部を発光させる第１発光制御ステップと、
前記第２ボタンに対するユーザからの第１所定入力に応じて、前記デフォルトパターンで示される順序に関わらず前記推薦色で前記発光部を発光させる第２発光制御ステップと、
前記第３ボタンに対するユーザからの第１所定入力に応じて、前記デフォルトパターンで示される順序の逆順に従って、前記複数の色のうちいずれか１つの色で前記発光部を発光させる第３発光制御ステップと、を含む発光制御方法。